(57)【要約】【課題】一時的に出力する映像信号を切り替えたい場合であっても、信号を切り替える際の手間を低減し、ユーザの利便性を向上させることの可能な切替装置を提供する。【解決手段】映像信号が入力される複数の信号入力部１０１，１０２と、信号出力部１０８と、複数の信号入力部のいずれかを信号出力部に接続する接続部１０５と、複数の信号入力部のそれぞれの状態を検出する検出部１０３，１０４と、接続部が信号出力部に接続した信号入力部の履歴を記憶する記憶部１０７と、検出部が、複数の信号入力部のいずれかが新たに接続状態となったことを検出した場合には、新たに接続状態となった信号入力部と信号出力部とを接続させ、信号出力部に接続されている信号入力部が停止状態となった場合には、記憶部に記憶された履歴に基づいて、停止状態となった信号入力部の前に信号出力部に接続されていた信号入力部と信号出力部とを接続させる切替制御部１０６と、を有する。【選択図】図３
2015060163.tif 000002
【特許請求の範囲】
【請求項１】
映像信号が入力される複数の信号入力部と、
信号出力部と、
前記複数の信号入力部のいずれかを前記信号出力部に接続する接続部と、
前記複数の信号入力部のそれぞれが、映像信号が入力される接続状態であるか、または、映像信号が入力されない停止状態であるかを検出する検出部と、
前記接続部が前記信号出力部に接続した信号入力部の履歴を記憶する記憶部と、
前記検出部が、前記複数の信号入力部のいずれかが新たに接続状態となったことを検出した場合には、前記接続部に新たに接続状態となった信号入力部と前記信号出力部とを接続させ、前記信号出力部に接続されている信号入力部が停止状態となった場合には、前記記憶部に記憶された履歴に基づいて、停止状態となった前記信号入力部の前に前記信号出力部に接続されていた信号入力部と前記信号出力部とを接続させる切替制御部と、を備える切替装置。
【請求項２】
前記検出部は、前記映像信号が示す画像が変化したか否かをさらに検出し、
前記切替制御部は、前記検出部が、新たに接続状態となった信号入力部を検出し、かつ、前記信号出力部に接続されている信号入力部に入力されている映像信号が示す画像が変化していないことを検出した場合、前記接続部に新たに接続状態となった信号入力部と前記信号出力部とを接続させる、請求項１に記載の切替装置。
【請求項３】
前記検出部は、前記映像信号が示す画像が変化したか否かをさらに検出し、
前記切替制御部は、前記検出部が、新たに接続状態となった信号入力部を検出し、前記接続部に新たに接続状態となった信号入力部と前記信号出力部とを接続させた後、所定時間以内に、新たに接続状態となった前記信号入力部の前に前記信号出力部に接続されていた信号入力部に入力されている映像信号が示す画像が変化した場合、前記接続部に、新たに接続状態となった前記信号入力部の前に前記信号出力部に接続されていた前記信号入力部と前記信号出力部とを接続させる、請求項１に記載の切替装置。
【請求項４】
前記切替制御部は、前記検出部が、新たに接続状態となった信号入力部を検出し、前記接続部に新たに接続状態となった信号入力部と前記信号出力部とを接続させた後、所定時間以内に、新たに接続状態となった前記信号入力部の前に前記信号出力部に接続されていた信号入力部に入力されている映像信号が示す画像が変化した場合、前記接続部に、新たに接続状態となった前記信号入力部の前に前記信号出力部に接続されていた前記信号入力部と前記信号出力部とを接続させる、請求項２に記載の切替装置。
【請求項５】
前記接続部は、前記信号出力部に接続する信号入力部を切り替える場合、切替前に前記接続部が前記信号出力部に接続していた信号入力部に入力されている映像信号である切替前映像信号が示す画像の一部に、切替後に前記接続部が前記信号出力部に接続する信号入力部に入力されている映像信号である切替後映像信号が示す画像を重畳した合成画像を示す合成映像信号を生成して出力し、所定時間後に、前記接続部に前記新たに接続状態となった信号入力部と前記信号出力部とを接続させる、請求項１ないし４のいずれか１項に記載の切替装置。
【請求項６】
前記検出部は、前記信号入力部に映像信号が入力されていること、または前記信号入力部に前記映像信号を出力する外部装置が接続されていることを、当該信号入力部が前記接続状態であるとして検出し、前記信号入力部に映像信号が入力されていないこと、または前記信号入力部に前記外部装置が接続されていないことを、当該信号入力部が前記停止状態であるとして検出する、請求項１ないし５のいずれか１項に記載の切替装置。
【請求項７】
前記複数の信号入力部の少なくとも一つは、無線信号を受信する無線通信部である、請求項１ないし６のいずれか１項に記載の切替装置。
【請求項８】
請求項１ないし７のいずれか１項に記載の切替装置を備えるプロジェクタ。
【請求項９】
映像信号が入力される複数の信号入力部のそれぞれが、映像信号が入力される接続状態であるか、または、映像信号が入力されない停止状態であるかを検出し、
前記複数の信号入力部のいずれかが新たに接続状態となった場合には、新たに接続状態となった信号入力部を信号出力部と接続し、
前記信号出力部に接続した前記信号入力部の履歴を記憶させ、
前記信号出力部に接続されている信号入力部が停止状態になった場合には、前記記憶された履歴に基づいて、停止状態となった前記信号入力部の前に前記信号出力部に接続されていた信号入力部と前記信号出力部とを接続する、切替方法。
【請求項１０】
コンピュータを、
映像信号が入力される複数の信号入力部と、
信号出力部と、
前記複数の信号入力部のいずれかを前記信号出力部に接続する接続部と、
前記複数の信号入力部のそれぞれが、映像信号が入力される接続状態であるか、または、映像信号が入力されない停止状態であるかを検出する検出部と、
前記接続部が前記信号出力部に接続した信号入力部の履歴を記憶する記憶部と、
前記検出部が、前記複数の信号入力部のいずれかが新たに接続状態となったことを検出した場合には、前記接続部に新たに接続状態となった信号入力部と前記信号出力部とを接続させ、前記信号出力部に接続されている信号入力部が停止状態となった場合には、前記記憶部に記憶された履歴に基づいて、停止状態となった前記信号入力部の前に前記信号出力部に接続されていた信号入力部と前記信号出力部とを接続させる切替制御部と、を備える切替装置として機能させるためのプログラム。
【発明の詳細な説明】
【技術分野】
【０００１】
本発明は、出力する信号を複数の入力された信号のいずれかに切り替える切替装置、プロジェクタ、切替方法、およびプログラムに関する。
【背景技術】
【０００２】
プレゼンテーションや会議などにおいて、複数の参加者が順番に自身のＰＣ（Ｐｅｒｓｏｎａｌ  Ｃｏｍｐｕｔｅｒ）などに保存してある資料をプロジェクタに表示させて、発表を行うことがある。この場合、発表者が交代する度に、プロジェクタが表示に用いる映像信号である出力信号を、交代前の発表者が所有するＰＣからの映像信号から、交代後の発表者が所有するＰＣからの映像信号に切り替える必要がある。
【０００３】
図１９および図２０は、出力する映像信号を切り替える方法の一例を説明するための図である。なお、ここでは、ＰＣ９０１Ｘからの映像信号に応じた画像をプロジェクタが表示している際に、出力信号をＰＣ９０１Ｙからの映像信号に切り替える必要が生じたものとする。
【０００４】
図１９の例では、プロジェクタ９００には、ＰＣと接続するための入力端子が１つしか備わっていないため、出力する映像信号を切り替えるためには、プロジェクタ９００と接続されたケーブルをＰＣ９０１Ｘから抜いてＰＣ９０１Ｙに接続する必要がある。しかしながら、このようにケーブルを抜き差しすることは煩わしく手間がかかる。
【０００５】
これに対して、図２０の例では、プロジェクタ９１０には、ＰＣと接続するための入力端子が複数備わっているため、出力する映像信号を切り替えるためにケーブルをＰＣ９０１Ｘから抜く必要がない。
【０００６】
図２０に示すプロジェクタ９１０は、具体的には、第１入力端子９１１と第２入力端子９１２と、第１入力端子９１１および第２入力端子９１２のいずれかに入力された映像信号を出力信号として出力する切替装置（図示せず）と、切替装置から出力された出力信号に応じた画像を投写する投写部（図示せず）とを有する。
【０００７】
第１入力端子９１１には、ＰＣ９０１Ｘが接続されており、切替装置が第１入力端子９１１に入力された映像信号を出力信号として出力するように設定されていると、プロジェクタはＰＣ９０１Ｘに保存されている資料を表示することになる。このとき、第２入力端子９１２にＰＣ９０１Ｙを接続し、プロジェクタ９１０本体またはリモートコントローラ９５０に備わる所定のボタンを押下して、出力する映像信号を切り替えることで、スクリーンＳに投写する画像をＰＣ９０１Ｙに記憶された資料に切り替えることができる。これにより、ＰＣ９０１Ｘに接続されたケーブルを抜き差ししなくても、出力する映像信号を切り替えることができる。
【０００８】
しかしながら、上記の場合でも、リモートコントローラ９５０に備わったボタンを押下するなど、煩わしい操作が必要であり、より簡単に出力する映像信号を切り替える方法が望まれていた。
【０００９】
特許文献１には、ゲーム機器などの外部装置が接続可能なテレビ受像機に内蔵される切替装置が開示されている。この切替装置は、複数の入力端子を有し、各入力端子に入力されている映像信号のうち、新たに入力が開始された映像信号をテレビ受像機に出力する。
【００１０】
また、この切替装置は、テレビ受像機が表示に用いている映像信号の入力が停止された場合、各入力端子に設定されている優先順位に基づき、各入力端子に入力されている映像信号のうち、優先順位の高い入力端子に入力されている映像信号を出力する。
【００１１】
このように特許文献１に記載の切替装置では、切替操作を行うことなく、出力する映像信号を切り替えることができる。
【先行技術文献】
【特許文献】
【００１２】
【特許文献１】特開２００１−３４６１０１号公報
【発明の概要】
【発明が解決しようとする課題】
【００１３】
プレゼンテーションや会議において、発表者が発表している途中に、アシスタントが補足説明などを行うために、アシスタントのＰＣなどに保存してある資料を一時的にプロジェクタに表示させる場合がある。このような場合、出力信号を一時的に切り替え、補足説明が終了すると、元の映像信号に再度切り替える必要がある。
【００１４】
しかしながら、特許文献１に記載された切替装置では、テレビ受像機が表示に用いている映像信号の入力が停止された場合、各入力端子の優先順位に基づいて、次にテレビ受像器に出力する映像信号が決まるため、必ずしも元の映像信号が出力されるは限らない。この場合、ユーザは、出力する映像信号を切り替える切替操作を手動で行わなければならず、手間がかかり、ユーザにとって利便性が低いという問題があった。
【００１５】
本発明の目的は、一時的に出力する映像信号を切り替える場合であっても、信号を切り替える際の手間を低減し、ユーザの利便性を向上させることの可能な切替装置、プロジェクタ、切替方法、およびプログラムを提供することである。
【課題を解決するための手段】
【００１６】
本発明による切替装置は、
映像信号が入力される複数の信号入力部と、
信号出力部と、
前記複数の信号入力部のいずれかを前記信号出力部に接続する接続部と、
前記複数の信号入力部のそれぞれが、映像信号が入力される接続状態であるか、または、映像信号が入力されない停止状態であるかを検出する検出部と、
前記接続部が前記信号出力部に接続した信号入力部の履歴を記憶する記憶部と、
前記検出部が、前記複数の信号入力部のいずれかが新たに接続状態となったことを検出した場合には、前記接続部に新たに接続状態となった信号入力部と前記信号出力部とを接続させ、前記信号出力部に接続されている信号入力部が停止状態となった場合には、前記記憶部に記憶された履歴に基づいて、停止状態となった前記信号入力部の前に前記信号出力部に接続されていた信号入力部と前記信号出力部とを接続させる切替制御部と、を有する。
【００１７】
また、本発明によるプロジェクタは、前記切替装置を有する。
【００１８】
また、本発明による切替方法は、
映像信号が入力される複数の信号入力部のそれぞれが、映像信号が入力される接続状態であるか、または、映像信号が入力されない停止状態であるかを検出し、
前記複数の信号入力部のいずれかが新たに接続状態となった場合には、新たに接続状態となった信号入力部を信号出力部と接続し、
前記信号出力部に接続した前記信号入力部の履歴を記憶させ、
前記信号出力部に接続されている信号入力部が停止状態になった場合には、前記記憶された履歴に基づいて、停止状態となった前記信号入力部の前に前記信号出力部に接続されていた信号入力部と前記信号出力部とを接続する。
【００１９】
また、本発明によるプログラムは、
コンピュータを、
映像信号が入力される複数の信号入力部と、
信号出力部と、
前記複数の信号入力部のいずれかを前記信号出力部に接続する接続部と、
前記複数の信号入力部のそれぞれが、映像信号が入力される接続状態であるか、または、映像信号が入力されない停止状態であるかを検出する検出部と、
前記接続部が前記信号出力部に接続した信号入力部の履歴を記憶する記憶部と、
前記検出部が、前記複数の信号入力部のいずれかが新たに接続状態となったことを検出した場合には、前記接続部に新たに接続状態となった信号入力部と前記信号出力部とを接続させ、前記信号出力部に接続されている信号入力部が停止状態となった場合には、前記記憶部に記憶された履歴に基づいて、停止状態となった前記信号入力部の前に前記信号出力部に接続されていた信号入力部と前記信号出力部とを接続させる切替制御部と、を備える切替装置として機能させる。
【発明の効果】
【００２０】
本発明によれば、一時的に出力する映像信号を切り替えたい場合であっても、信号を切り替える際の手間を低減し、ユーザの利便性を向上させることが可能である。
【図面の簡単な説明】
【００２１】
【図１】本発明の第１の実施形態にかかるプロジェクタ１００が用いられる場面について説明するための図である。
【図２】プロジェクタ１００が投写する画像の遷移について説明するための図である。
【図３】プロジェクタ１００の構成を説明するためのブロック図である。
【図４】プロジェクタ１００が出力信号を切り替える動作を説明するためのフローチャートである。
【図５】プロジェクタ１００の入力信号の有無と、接続入力端子との関係を説明するための図である。
【図６】プロジェクタ１００の各入力端子への入力信号の有無と、そのときの接続入力端子を示す図である。
【図７】本発明の第２の実施形態にかかるプロジェクタ２００の構成を説明するためのブロック図である。
【図８】プロジェクタ２００の動作例を説明するためのフローチャートである。
【図９】本発明の第３の実施形態にかかるプロジェクタ３００の構成を説明するためのブロック図である。
【図１０】プロジェクタ３００を用いた表示システムの例を説明するための図である。
【図１１】本発明の第４の実施形態にかかるプロジェクタ４００の構成を説明するためのブロック図である。
【図１２】本発明の第５の実施形態にかかるプロジェクタ５００の構成を説明するためのブロック図である。
【図１３】本発明の第６の実施形態にかかるプロジェクタ６００の構成を説明するためのブロック図である。
【図１４】本発明の第７の実施形態にかかるプロジェクタ７００の構成を説明するためのブロック図である。
【図１５】プロジェクタ７００の各入力端子への入力信号の有無と、そのときの接続入力端子を示す図である。
【図１６】プロジェクタ７００の各入力端子への入力信号の有無と、そのときの接続入力端子を示す図である。
【図１７】本発明の第８の実施形態にかかるプロジェクタ８００の構成を説明するためのブロック図である。
【図１８】接続入力端子を切り替えるときの表示画像について説明するための図である。
【図１９】本発明の比較例にかかるプロジェクタ９００が、信号源を切り替える方法を説明するための図である。
【図２０】本発明の比較例にかかるプロジェクタ９１０が信号源を切り替える方法の一例を説明するための図である。
【発明を実施するための形態】
【００２２】
以下、本発明の実施形態について添付の図面を参照して説明する。なお、本明細書および図面において、同一の機能を有する構成要素については同じ符号を付することにより重複説明を省略する場合がある。
【００２３】
図１は、本発明の第１の実施形態にかかる切替装置が使用される状況について説明するための図である。
【００２４】
本実施形態にかかる切替装置は、図１に示すプロジェクタ１００に含まれている。プロジェクタ１００は、外部装置から信号入力部に入力された映像信号に応じた画像をスクリーンＳに投写する。具体的には、プロジェクタ１００は、複数の信号入力部と、信号出力部とを有し、その複数の信号入力部のいずれかを信号出力部に接続するスイッチをさらに有している。信号出力部は、接続された信号入力部に入力された映像信号を出力信号として出力し、信号出力部が出力した出力信号は、画像を表示するために用いられる。
【００２５】
図２は、図１の場面でプロジェクタ１００が投写する画像の遷移について説明するための図である。
【００２６】
人物Ｘの使用するＰＣ１５０Ｘに記憶された資料Ｘを示す映像信号をプロジェクタ１００に入力すると、プロジェクタ１００は、この映像信号に応じた第１画像１１ＸをスクリーンＳに投写する。このように第１画像１１Ｘが投写された状態で、人物Ｙの有するＰＣ１５０Ｙに記憶された資料Ｙを示す映像信号をプロジェクタ１００に入力すると、プロジェクタ１００は、出力信号をＰＣ１５０Ｙから入力された映像信号に切り替える。これにより、ＰＣ１５０Ｙからプロジェクタ１００に入力された映像信号に応じた第２画像１１ＹがスクリーンＳに投写される。
【００２７】
ＰＣ１５０Ｙが接続された入力端子への映像信号の入力が停止されると、プロジェクタ１００は、出力信号を、ＰＣ１５０Ｘからプロジェクタ１００に入力された映像信号に再び戻す。これにより、再び第１画像１１ＸがスクリーンＳに投写される。
【００２８】
上記のように、本発明においては、例えば人物Ｘが発表を行っている途中で、人物Ｙが補足説明を行う場合など、表示に用いる映像信号を一時的に他の外部装置から入力された映像信号に切り替えたい場合、人物Ｙの補足説明が終わって再び人物Ｘが発表を続けるときに、切替操作を行う必要がないため、表示に用いる映像信号を切り替える手間を低減し、ユーザの利便性を向上させることができる。以下、このような機能を実現するためのプロジェクタ１００の詳細な構成および動作について説明する。
【００２９】
図３は、プロジェクタ１００の構成を説明するためのブロック図である。
【００３０】
図３に示すプロジェクタ１００は、第１入力端子１０１と、第２入力端子１０２と、第１信号検出回路１０３と、第２信号検出回路１０４と、スイッチ１０５と、判別回路１０６と、記憶部１０７と、映像信号処理回路１０８とを有する。
【００３１】
第１入力端子１０１は、外部装置と接続可能な接続インタフェースであり、ケーブルなどを介して接続された外部装置から映像信号が入力される信号入力部である。第１入力端子１０１は、入力された映像信号を第１信号検出回路１０３およびスイッチ１０５に出力する。
【００３２】
第２入力端子１０２は、外部装置と接続可能な接続インタフェースであり、ケーブルなどを介して接続された外部装置から映像信号が入力される信号入力部である。第２入力端子１０２は、入力された映像信号を第２信号検出回路１０４およびスイッチ１０５に出力する。
【００３３】
第１信号検出回路１０３は、第１入力端子１０１が、映像信号が入力される接続状態であるか、または、映像信号が入力されない停止状態であるかを検出する検出部である。具体的には、第１信号検出回路１０３は、第１入力端子１０１が出力した映像信号を受け付けた場合にこれを検出し、映像信号を検出している間、検出結果として、第１入力端子１０１が接続状態であることを示す検出信号を判別回路１０６に出力する。また、第１信号検出回路１０３は、第１入力端子１０１が映像信号を出力していない場合、検出信号を出力しない。これにより、第１信号検出回路１０３が検出信号を出力しないことは、第１入力端子１０１が停止状態であることを示す。
【００３４】
第２信号検出回路１０４は、第２入力端子１０２が、接続状態であるか、または、停止状態であるかを検出する検出部である。具体的には、第２信号検出回路１０４は、第２入力端子１０２が出力した映像信号を受け付けた場合にこれを検出し、映像信号を検出している間、検出結果として、第２入力端子１０２が接続状態であることを示す検出信号を判別回路１０６に出力する。また、第２信号検出回路１０４は、第２入力端子１０２が映像信号を出力していない場合、検出信号を出力しない。これにより、第２信号検出回路１０４が検出信号を出力しないことは、第２入力端子１０２が停止状態であることを示す。
【００３５】
スイッチ１０５は、第１入力端子１０１および第２入力端子１０２のいずれかを映像信号処理回路１０８に接続する接続部である。具体的には、スイッチ１０５は、第１入力端子１０１および第２入力端子１０２がそれぞれ出力した映像信号を受け付け、判別回路１０６から入力された切替信号が示す入力端子を映像信号処理回路１０８に接続する。これにより、スイッチ１０５は、切替信号が示す入力端子が出力した映像信号を映像信号処理回路１０８に出力することになる。なお、スイッチ１０５は、映像信号処理回路１０８に接続する入力端子である接続入力端子を切替信号に基づいて変更すると、次に切替信号を受け付けるまでは、接続入力端子を変更せずに維持する。
【００３６】
判別回路１０６は、第１信号検出回路１０３または第２信号検出回路１０４が出力した検出信号を受け付け、受け付けた検出信号に基づいて、スイッチ１０５に接続入力端子を切り替えるように通知する切替制御部である。具体的には、判別回路１０６は、検出信号に基づいて、接続入力端子を切り替えるか否かを判断し、接続入力端子を切り替えると判断した場合、切替信号を生成してスイッチ１０５に入力することにより、スイッチ１０５に接続入力端子を切り替えさせる。
【００３７】
より具体的には、判別回路１０６は、第１信号検出回路１０３または第２信号検出回路１０４が、第１入力端子１０１または第２入力端子１０２が新たに接続状態となったことを検出した場合、スイッチ１０５に、新たに接続状態となった入力端子と映像信号処理回路１０８とを接続させる。このとき判別回路１０６は、第１信号検出回路１０３が新たに検出信号の出力を開始した場合、第１入力端子１０１が新たに接続状態となったことを、第１信号検出回路１０３が検出したと判断する。判別回路１０６は、第２信号検出回路１０４が新たに検出信号の出力を開始した場合、第２入力端子１０２が新たに接続状態となったことを、第２信号検出回路１０４が検出したと判断する。また判別回路１０６は、映像信号処理回路１０８に接続した入力端子が変化すると、この入力端子を映像信号処理回路１０８に接続した入力端子の履歴として記憶部１０７に記憶させる。
【００３８】
そして判別回路１０６は、映像信号処理回路１０８に接続されている入力端子が停止状態となった場合、記憶部１０７に記憶された履歴に基づいて、スイッチ１０５に、停止状態となった入力端子の前に映像信号処理回路１０８に接続されていた入力端子と映像信号処理回路１０８とを接続させる。これにより、判別回路１０６は、停止状態となった入力端子の前に選択されていた入力端子を映像信号処理回路１０８に接続することになり、判別回路１０６が映像信号処理回路１０８に接続させた入力端子に入力された映像信号は、出力信号として出力されることになる。
【００３９】
記憶部１０７は、上記のように、映像信号処理回路１０８に接続した入力端子の履歴を記憶する。
【００４０】
映像信号処理回路１０８は、判別回路１０６にて接続された入力端子に入力された映像信号を出力する信号出力部である。具体的には、映像信号処理回路１０８は、スイッチ１０５から入力された映像信号を受け付け、この映像信号に対する各種の映像信号処理を行い、映像信号処理を行った映像信号を出力信号として出力する。映像信号処理回路１０８が行う映像信号処理は、例えば映像信号のγ補正処理、および歪み補正処理などである。なお、映像信号処理回路１０８が出力した映像信号は、ＬＣＤ（Ｌｉｑｕｉｄ  Ｃｒｙｓｔａｌ  Ｄｉｓｐｌａｙ）などの表示装置（図示せず）に入力され、表示装置は、入力された映像信号に応じた画像をスクリーンに投写する。
【００４１】
図４は、プロジェクタ１００が出力信号を切り替える動作について説明するためのフローチャートである。
【００４２】
判別回路１０６は、入力端子の状態が変化したか否かを判断する（ステップＳ１００）。具体的には、判別回路１０６は、第１信号検出回路１０３および第２信号検出回路１０４が検出信号を出力している状態か否かに基づいて、第１入力端子１０１および第２入力端子１０２の状態が変化したか否かを判断する。判別回路１０６は、検出信号を新たに受け付けた場合、および、受け付けていた検出信号が出力されなくなった場合、入力端子の状態が変化したと判断する。
【００４３】
入力端子の状態が変化した場合、判別回路１０６は、この変化が、接続状態への変化であるか、停止状態への変化であるかをさらに判断する（ステップＳ１０１）。
【００４４】
入力端子が接続状態に変化した場合、判別回路１０６は、新たに接続状態となった入力端子を映像信号処理回路１０８と接続させてこの切替動作を終了する（ステップＳ１０２）。
【００４５】
一方、入力端子が停止状態に変化した場合、判別回路１０６は、停止状態に変化した入力端子は、映像信号処理回路１０８に接続されている接続入力端子であるか否かをさらに判断する（ステップＳ１０３）。
【００４６】
停止状態に変化した入力端子が接続入力端子である場合、判別回路１０６は、停止状態となった入力端子の前に映像信号処理回路１０８に接続されていた入力端子を映像信号処理回路１０８に接続させてこの切替動作を終了する（ステップＳ１０４）。一方、停止状態に変化した入力端子が接続入力端子でない場合、判別回路１０６は、この切替動作を終了する。
【００４７】
なお、ステップＳ１００の、入力端子の状態が変化したか否かを判断する動作は、プロジェクタ１００の電源が入っている間、継続的に行われている。
【００４８】
図５は、第１入力端子１０１および第２入力端子１０２の状態と、映像信号処理回路１０８に接続する入力端子である接続入力端子との関係を説明するための図である。
【００４９】
第１入力端子１０１および第２入力端子１０２が共に停止状態である場合（第１のケース）、判別回路１０６は、映像信号処理回路１０８をどの入力端子に接続してもよい。例えば、スイッチ１０５が初期状態として映像信号処理回路１０８に接続する入力端子が決められているとき、判別回路１０６は、接続入力端子を初期状態に切り替える。また、判別回路１０６は、接続入力端子を切り替えず、接続入力端子を以前に判別回路１０６が切替信号を出力したときに映像信号処理回路１０８に接続された入力端子に維持してもよい。
【００５０】
また、第１入力端子１０１または第２入力端子１０２の一方が接続状態である場合、判別回路１０６は、接続状態である入力端子を選択して接続入力端子として、映像信号処理回路１０８に接続させる。
【００５１】
例えば、第１入力端子１０１が接続状態であり、第２入力端子１０２が停止状態である場合（第２のケース）、接続状態である入力端子が第１入力端子１０１だけなので、判別回路１０６は、スイッチ１０５に、第１入力端子１０１を映像信号処理回路１０８に接続させる。この場合、第１入力端子１０１が接続入力端子となる。
【００５２】
また、第１入力端子１０１が停止状態であり、第２入力端子１０２が接続状態である場合（第３のケース）、接続状態である入力端子が第２入力端子１０２だけなので、判別回路１０６は、スイッチ１０５に第２入力端子１０２を映像信号処理回路１０８と接続させる。この場合、第２入力端子１０２が接続入力端子となる。
【００５３】
また、第１入力端子１０１および第２入力端子１０２の両方が接続状態である場合、判別回路１０６は、接続状態である入力端子のうちいずれかを、接続状態となった順番に基づいて選択し、選択した入力端子を接続入力端子として、映像信号処理回路１０８に接続させる。具体的には、第１信号検出回路１０３が第１入力端子１０１が新たに接続状態になったことを検出した場合、または第２信号検出回路１０４が第２入力端子１０２が新たに接続状態になったことを検出した場合、判別回路１０６は、スイッチ１０５に、新たに信号の入力が開始された入力端子を映像信号処理回路１０８に接続させる。この場合、新たに信号の入力が開始された入力端子が接続入力端子となる。
【００５４】
例えば、第１入力端子１０１が接続状態であり、第２入力端子１０２が停止状態である状況において、第２入力端子１０２が新たに接続状態になった場合（第４のケース）、判別回路１０６は、スイッチ１０５に、第２入力端子１０２を映像信号処理回路１０８と接続させる。この場合、接続入力端子が、第１入力端子１０１から第２入力端子１０２に切り替えられる。
【００５５】
また、第１入力端子１０１が停止状態であり、第２入力端子１０２が接続状態である状況において、第１入力端子１０１が新たに接続状態になった場合（第５のケース）、判別回路１０６は、スイッチ１０５に、第１入力端子１０１を映像信号処理回路１０８と接続させる。この場合、接続入力端子は、第２入力端子１０２から第１入力端子１０１に切り替えられる。
【００５６】
また、判別回路１０６は、映像信号処理回路１０８に接続されている入力端子が停止状態となった場合、記憶部１０７に記憶された履歴に基づいて、スイッチ１０５に、停止状態となった入力端子の前に映像信号処理回路１０８に接続されていた入力端子と映像信号処理回路１０８とを接続させる。
【００５７】
例えば、第１入力端子１０１および第２入力端子１０２が共に接続状態であり、接続入力端子が第２入力端子１０２である状況において、第２入力端子１０２が停止状態となった場合（第６のケース）、停止状態となった入力端子の前に映像信号処理回路１０８に接続されていた入力端子は第１入力端子１０１である。このため、判別回路１０６は、スイッチ１０５に、第１入力端子１０１を映像信号処理回路１０８に接続させる。この場合、接続入力端子は、第２入力端子１０２から第１入力端子１０１に切り替えられる。
【００５８】
また、第１入力端子１０１および第２入力端子１０２が共に接続状態であり、接続入力端子が第１入力端子である状態において、第１入力端子１０１が停止状態となった場合（第７のケース）、停止状態となった入力端子の前に映像信号処理回路１０８に接続されていた入力端子は第２入力端子１０２である。このため、判別回路１０６は、スイッチ１０５に第２入力端子１０２を映像信号処理回路１０８と接続させる。この場合、接続入力端子は、第１入力端子１０１から第２入力端子１０２に切り替えられる。
【００５９】
図６は、プロジェクタ１００の各入力端子に対応する検出信号の有無と、そのときの接続入力端子とを示す図である。上記の通り、検出信号がＯＮであることは、対応する入力端子が接続状態であることを意味し、検出信号がＯＦＦであることは、対応する入力端子が停止状態であることを意味する。
【００６０】
まず、時刻ｔ０において、第１入力端子１０１および第２入力端子１０２は、共に停止状態である。この場合、図５の第１のケースに相当し、判別回路１０６は、スイッチ１０５に、接続入力端子の初期値である第１入力端子を映像信号処理回路１０８に接続させる。しかしながら、この場合、第１入力端子１０１が停止状態であって映像信号が入力されていないため、映像信号処理回路１０８に映像信号は入力されない。
【００６１】
その後、第１入力端子１０１に映像信号の入力が開始されると、時刻ｔ１において、第１信号検出回路１０３は、第１入力端子１０１が新たに接続状態となったことを検出する。このとき第２入力端子１０２は停止状態のままである。この場合、図５の第２のケースに相当し、判別回路１０６は、スイッチ１０５に、新たに接続状態となった第１入力端子１０１を映像信号処理回路１０８に接続させる。ただし、スイッチ１０５は、既に第１入力端子１０１を映像信号処理回路１０８に接続しているので、その接続を維持することになる。これにより、第１入力端子１０１に入力された映像信号である第１信号が映像信号処理回路１０８に入力され、この第１信号に応じた画像が表示される。
【００６２】
そして第２入力端子１０２に映像信号の入力が開始されると、時刻ｔ２において、第２信号検出回路１０４は、第２入力端子１０２が新たに接続状態となったことを検出する。このとき第１入力端子１０１は接続状態のままである。この場合、図５の第４のケースに相当し、判別回路１０６は、スイッチ１０５に、第２入力端子１０２を映像信号処理回路１０８に接続させる。この場合、接続入力端子は第１入力端子１０１から第２入力端子１０２に切り替えられ、第２入力端子１０２に入力された映像信号である第２信号が映像信号処理回路１０８に入力され、この第２信号に応じた画像が表示される。
【００６３】
また第１入力端子１０１への映像信号の入力が停止されると、時刻ｔ３において、第１信号検出回路１０３は、第１入力端子１０１が停止状態となったことを検出する。このとき第２入力端子１０２は接続状態のままであり、接続入力端子は第２入力端子のままの状態である。この場合、停止状態となった入力端子は、接続入力端子ではなく、図５の第３のケースに相当し、判別回路１０６は、スイッチ１０５が第２入力端子１０２を映像信号処理回路１０８に接続させた状態を維持させる。
【００６４】
そして再び第１入力端子１０１に映像信号の入力が開始されると、時刻ｔ４において、第１信号検出回路１０３は、第１入力端子１０１が再び接続状態となったことを検出する。このとき第２入力端子１０２は接続状態のままである。この場合、図５の第５のケースに相当し、判別回路１０６は、スイッチ１０５に、第１入力端子１０１を映像信号処理回路１０８に接続させる。この場合、接続入力端子は第２入力端子１０２から第１入力端子１０１に切り替えられ、第１信号に応じた画像が表示される。
【００６５】
また、第１入力端子１０１への映像信号の入力が停止されると、時刻ｔ５において、第１信号検出回路１０３は、第１入力端子１０１が停止状態となったことを検出する。このとき第２入力端子１０２は接続状態のままである。この場合、図５の第７のケースに相当し、停止状態となった入力端子は接続入力端子であるため、判別回路１０６は、スイッチ１０５に、第２入力端子１０２を映像信号処理回路１０８に接続させる。この場合、接続入力端子は第１入力端子１０１から第２入力端子１０２に切り替えられ、第２信号に応じた画像が再び表示される。
【００６６】
以上説明したように、本発明の第１の実施形態によれば、信号入力部のいずれかが新たに接続状態となった場合、新たに接続状態となった信号入力部と信号出力部とが接続され、信号出力部に接続されている信号入力部が停止状態となった場合、停止状態となった信号入力部の前に信号出力部に接続されていた信号入力部と信号出力部とが接続される。
【００６７】
これにより、信号入力部が新たに接続状態となった場合、この接続状態となった信号入力部に入力された映像信号を信号出力部から出力させ、信号出力部に接続されている信号入力部が停止状態となった場合、停止状態となった信号入力部の前に信号出力部に接続されていた信号入力部に入力されている映像信号を、再び信号出力部から出力させることが可能になる。したがって、一時的に出力する映像信号を切り替えたい場合であっても、信号を切り替える際の手間を低減して、ユーザの利便性を向上させることが可能になる。
【００６８】
また、本実施形態では、信号入力部に映像信号が入力された場合、当該信号入力部が接続状態であることとし、信号入力部に映像信号が入力されていない場合、当該信号入力部が停止状態であることとした。この場合、入力された映像信号を検出することで信号入力部の状態を検出することができるため、信号入力部の状態を容易に検出することが可能になる。
【００６９】
（第２の実施形態）
図７は、本発明の第２の実施形態にかかるプロジェクタ２００の構成を説明するためのブロック図である。
【００７０】
図７に示すプロジェクタ２００は、第１入力端子２０１と、第２入力端子２０２と、動き検出回路２０３と、信号検出回路２０４と、スイッチ２０５と、判別回路２０６と、記憶部２０７と、映像信号処理回路２０８とを有する。
【００７１】
このプロジェクタ２００の第１入力端子２０１は、プロジェクタ１００の第１入力端子１０１と同等な機能を有し、第２入力端子２０２は、第２入力端子１０２と同等な機能を有し、動き検出回路２０３は、第１信号検出回路１０３と同等な機能を有し、信号検出回路２０４は、第２信号検出回路１０４と同等な機能を有する。また、スイッチ２０５はスイッチ１０５と同等な機能を有し、判別回路２０６は判別回路１０６と同等な機能を有し、記憶部２０７は、記憶部１０７と同等な機能を有し、映像信号処理回路２０８は、映像信号処理回路１０８と同等な機能を有する。以下、プロジェクタ１００との相違点を主に説明する。
【００７２】
第１入力端子２０１は、外部装置と接続可能な接続インタフェースであり、ケーブルなどを介して接続された外部装置から映像信号が入力される信号入力部である。第１入力端子２０１は、入力された映像信号を動き検出回路２０３およびスイッチ２０５に出力する。
【００７３】
第２入力端子２０２は、外部装置と接続可能な接続インタフェースであり、ケーブルなどを介して接続された外部装置から映像信号が入力される信号入力部である。第２入力端子２０２は、入力された映像信号を信号検出回路２０４およびスイッチ２０５に出力する。
【００７４】
動き検出回路２０３は、第１入力端子２０１が、接続状態であるか、または、停止状態であるかを検出する第１信号検出回路１０３の機能に加えて、第１入力端子２０１が接続状態である場合、第１入力端子２０１に入力された映像信号が示す画像の変化を検出する検出部である。具体的には、動き検出回路２０３は、第１入力端子２０１に入力された映像信号が示す各フレーム間の差分を検出する。動き検出回路２０３は、第１入力端子２０１が接続状態であることを検出すると、第１入力端子２０１が接続状態であることと、映像信号が示す各フレーム間の差分の有無とを示す検出信号を判別回路２０６に出力する。
【００７５】
判別回路２０６は、動き検出回路２０３および信号検出回路２０４が出力する検出信号を受け付け、受け付けた検出信号に基づいて、スイッチ２０５に接続入力端子を切り替えるように通知する切替制御部である。判別回路２０６は、判別回路１０６と同等の機能に加えて、検出信号に含まれるフレーム間の差分の有無を示す情報に基づいて、スイッチ２０５が映像信号処理回路２０８に接続する入力端子を切り替える機能を有する。
【００７６】
具体的には、判別回路２０６は、入力端子が新たに接続状態となったことが検出され、かつ、映像信号処理回路２０８に接続された入力端子に入力されている映像信号に応じた画像が変化していない場合、スイッチ２０５が映像信号処理回路２０８に接続する入力端子を切り替える。判別回路２０６は、映像信号処理回路２０８に接続された入力端子に入力されている映像信号に応じた画像が変化している場合、映像信号の入力が開始されたとしても、スイッチ２０５が映像信号処理回路２０８に接続する入力端子を切り替えない。
【００７７】
例えば、第１入力端子２０１にＰＣ１５０Ｘが接続され、スイッチ２０５が第１入力端子２０１を映像信号処理回路２０８に接続しており、プロジェクタ２００が表示している画像中に、ＰＣ１５０Ｘに対する操作に応じたカーソルなどが表示されている場合、ＰＣ１５０Ｘを操作している間は、カーソル位置が変化して、第１入力端子２０１に入力される映像信号に応じた画像が変化することになる。このため、ＰＣ１５０Ｘを操作している間は、第２入力端子２０２に映像信号の入力が開始されたとしても、スイッチ２０５が映像信号処理回路２０８に接続する入力端子は、第１入力端子２０１のまま切り替えられない。
【００７８】
また、判別回路２０６は、入力端子が新たに接続状態となったことが検出され、スイッチ２０５が映像信号処理回路２０８に接続する入力端子を切り替えた後、所定時間以内に、新たに接続状態となった入力端子の前に映像信号処理回路２０８に接続されていた入力端子に入力されている映像信号が示す画像が変化した場合、スイッチ２０５に、新たに接続状態となった入力端子の前に映像信号処理回路２０８に接続されていた入力端子を映像信号処理回路２０８に接続させる。
【００７９】
例えば、第１入力端子２０１にＰＣ１５０Ｘが接続され、第２入力端子２０２にＰＣ１５０Ｙが接続された状態で、スイッチ２０５が映像信号処理回路２０８に接続する入力端子を第１入力端子２０１から第２入力端子２０２に切り替えた後、所定時間以内に、ユーザがＰＣ１５０Ｘを操作した場合、カーソル位置が変化して、切替前入力部である第１入力端子２０１に入力されている映像信号が示す画像が変化することになる。このため、切替前に表示に用いられていた映像信号を出力したＰＣ１５０Ｘのユーザが望まないにも関わらず、出力する映像信号が切り替えられた場合であっても、所定時間以内であれば、ＰＣ１５０Ｘのユーザの意思で出力する映像信号を元に戻すことが可能になる。
【００８０】
図８は、プロジェクタ２００の動作例を説明するためのフローチャートである。
【００８１】
判別回路２０６は、入力端子の状態が変化したか否かを判断する（ステップＳ２００）。具体的には、判別回路２０６は、動き検出回路２０３および信号検出回路２０４が検出信号を出力しているか否かに基づいて、第１入力端子２０１および第２入力端子２０２の状態が変化したか否かを判断する。判別回路２０６は、検出信号を新たに受け付けた場合、および、受け付けていた検出信号が出力されなくなった場合、入力端子の状態が変化したと判断する。
【００８２】
入力端子の状態が変化した場合、判別回路２０６は、この変化が、接続状態への変化であるか、停止状態への変化であるかをさらに判断する（ステップＳ２０１）。
【００８３】
入力端子が接続状態に変化した場合、判別回路２０６は、検出信号に含まれるフレーム間の差分の有無を示す情報に基づいて、接続入力端子に入力されている信号に応じた画像が変化しているか否かを判断する（ステップＳ２０２）。具体的には、判別回路２０６は、現時点以前の所定期間（例えば１秒間）、フレーム間の差分がない場合、画像が変化していないと判断する。
【００８４】
接続入力端子に入力されている映像信号が示す画像が変化している場合、判別回路２０６は、接続入力端子を切り替えずに、この切替動作を終了する。
【００８５】
一方、接続入力端子に入力されている映像信号が示す画像が変化していない場合、判別回路２０６は、スイッチ２０５に、新たに接続状態となった入力端子を映像信号処理回路２０８に接続させる（ステップＳ２０３）。
【００８６】
接続入力端子を切り替えると、判別回路２０６は、新たに接続状態となった入力端子の前に接続入力端子であった入力端子に入力された映像信号が示す画像が、切り替えてから所定時間以内に変化しているか否かを判断する（ステップＳ２０４）。この場合もステップＳ１０１と同様に、判別回路２０６は、現時点以前の所定期間（例えば１０秒間）以内に、画像に変化がない場合、画像が変化していないと判断することができる。
【００８７】
新たに接続状態となった入力端子の前に接続入力端子であった入力端子に入力された映像信号が示す画像が変化している場合、判別回路２０６は、スイッチ２０５に、新たに接続状態となった入力端子の前に映像信号処理回路２０８と接続されていた入力端子を、映像信号処理回路２０８に接続させる（ステップＳ２０５）。
【００８８】
一方、新たに接続状態となった入力端子の前に接続入力端子であった入力端子に入力された映像信号が示す画像が変化していない場合、判別回路２０６は、接続入力端子をそのままにして処理を終了する。
【００８９】
また、入力端子が停止状態となった場合、判別回路２０６は、停止状態となった入力端子は映像信号処理回路２０８と接続されている接続入力端子であるか否かをさらに判断する（ステップＳ２０６）。
【００９０】
停止状態となった入力端子が接続入力端子である場合、判別回路２０６は、スイッチ２０５に、停止状態となった入力端子の前に映像信号処理回路２０８に接続されていた入力端子を映像信号処理回路２０８に接続させる（ステップＳ２０７）。一方、停止状態となった入力端子が接続入力端子でない場合、判別回路２０６は、接続入力端子をそのままに維持してこの切替動作を終了する。
【００９１】
なお、判別回路２０６は、ステップＳ２０４の所定の時間が経過した後、接続入力端子が確定したと判定して、記憶部２０７に記憶する、映像信号処理回路２０８に接続した入力端子の履歴を更新するようにしてもよい。
【００９２】
また、ステップＳ２００の、入力端子の状態が変化したか否かを判断する動作は、プロジェクタ１００の電源が入っている間、継続的に行われている。
【００９３】
また、本発明の第２の実施形態において、プロジェクタ２００は、信号検出回路２０４の代わりに動き検出回路２０３と同等の機能を有する動き検出回路２０９を有してもよい。図７に示したプロジェクタ２００では、接続入力端子が第１入力端子２０１から第２入力端子２０２に切り替えられる場合のみ、画像の変化に基づいて接続入力端子を切り替えることができ、接続入力端子が第２入力端子２０２から第１入力端子２０２に切り替えられる場合には、画像の変化に基づいて接続入力端子を切り替えることができなかった。これに対して、プロジェクタ２００が信号検出回路２０４の代わりに動き検出回路２０９を有する場合、接続入力端子が第２入力端子２０２から第１入力端子２０１に切り替えられる場合でも、画像の変化に基づいて接続入力端子を切り替えることができるようになる。
【００９４】
プロジェクタ２００が信号検出回路２０４の代わりに動き検出回路２０９を有する場合、例えば、上記のように、判別回路２０６は、ステップＳ２０４の所定の時間が経過した後、接続入力端子が確定したと判定して、記憶部２０７に記憶する、映像信号処理回路２０８に接続した入力端子の履歴を更新するように構成する。これにより、判別回路２０６は、記憶部２０７に記憶された履歴を用いることで、現時点の接続入力端子を把握することができる。したがって、判別回路２０６は、どの入力端子に入力された映像信号に対する動き検出の検出結果を用いて、ステップＳ２０２およびステップＳ２０４の判断を行うかを履歴に基づいて決定することが可能になる。
【００９５】
以上説明したように、本発明の第２の実施形態によれば、第１の実施形態と同様に、一時的に出力する映像信号を切り替えたい場合であっても、信号を切り替える際の手間を低減して、ユーザの利便性を向上させることが可能になる。
【００９６】
また、本実施形態では、信号入力部が新たに接続状態となり、かつ、信号出力部に接続されている信号入力部に入力されている信号が示す画像が変化していない場合、接続部が信号出力部に接続する信号入力部が切り替えられる。これにより、信号入力部が新たに接続状態となったとしても、信号出力部に接続されている信号入力部に映像信号を入力している情報処理装置が操作されている間は、カーソル位置などの変化に伴って、この信号入力部に入力される映像信号が示す画像が変化するため、信号出力部に接続される信号入力部が切り替えられなくなる。したがって、現在画像を表示するために用いられている映像信号を信号入力部に入力している情報処理装置のユーザが望まない場合、情報処理装置を操作することで、表示に用いられる映像信号が切り替わることを抑制することが可能になる。
【００９７】
また、信号入力部が新たに接続状態となり、信号出力部に接続される信号入力部が切り替えられた後、所定時間以内に、新たに接続状態となった信号入力部の前に信号出力部に接続されていた信号入力部に入力されている映像信号が示す画像が変化した場合、信号出力部に接続する信号入力部が元に戻される。これにより、現在画像を表示するために用いられている映像信号を信号入力部に入力している情報処理装置のユーザが望まないにも拘らず、出力する映像信号が切り替わってしまった場合であっても、情報処理装置を操作することで、切り替えられた映像信号を元に戻すことが可能になる。
【００９８】
（第３の実施形態）
図９は、本発明の第３の実施形態にかかるプロジェクタ３００の構成を説明するためのブロック図である。
【００９９】
図９に示すプロジェクタ３００は、入力端子３０１と、信号検出回路３０３と、無線通信部３０４と、ＦｌａｓｈＲＯＭ（Ｒｅａｄ  Ｏｎｌｙ  Ｍｅｍｏｒｙ）３０５と、メモリ３０６と、ＣＰＵ（Ｃｅｎｔｒａｌ  Ｐｒｏｃｅｓｓｉｎｇ  Ｕｎｉｔ）３０７と、描画回路３０８と、スイッチ３０９と、判別回路３１０と、記憶部３１１と、映像信号処理回路３１２と、表示部３１３とを有する。
【０１００】
プロジェクタ１００および２００が、有線で外部装置と接続する信号入力部を有していたのに対して、プロジェクタ３００は、無線で外部装置と接続する信号入力部を有する。
【０１０１】
図１０は、プロジェクタ３００を用いた表示システムの例を説明するための図である。
【０１０２】
プロジェクタ３００は、ＰＣ１５０Ｘ、ＰＣ１５０Ｙなどの外部装置とそれぞれ有線または無線で接続することができる。またプロジェクタ３００は、無線で外部装置と接続する信号入力部を有することで、タブレット端末５１およびスマートフォン５２など、プロジェクタ３００と有線接続するための接続端子を有さない外部装置とも無線で接続することができる。プロジェクタ３００は、無線で接続された外部装置から受信した信号に応じた画像をスクリーンＳに投写する。
【０１０３】
図９の説明に戻る。
【０１０４】
入力端子３０１は、外部装置と接続可能な接続インタフェースであり、ケーブルなどを介して接続された外部装置から映像信号が入力される信号入力部である。入力端子３０１は、入力された映像信号を信号検出回路３０３およびスイッチ３０９に出力する。
【０１０５】
信号検出回路３０３は、入力端子３０１が接続状態であるか、または、停止状態であるかを検出する検出部である。具体的には、信号検出回路３０３は、入力端子３０１が出力した映像信号を受け付けた場合にこれを検出して、映像信号を検出している間、検出結果として、入力端子３０１が接続状態であることを示す検出信号を生成して、その生成した検出信号を判別回路３１０に出力する。また、信号検出回路３０３は、入力端子３０１が映像信号を出力していない場合、検出信号を出力しない。これにより、信号検出回路３０３が検出信号を出力しないことは、入力端子３０１が停止状態であることを示す。
【０１０６】
無線通信部３０４は、外部装置と無線にて接続可能な接続インタフェースであり、無線で接続された外部装置から信号が入力される信号入力部である。無線通信部３０４は、入力された信号をＣＰＵ３０７に出力する。
【０１０７】
ＦｌａｓｈＲＯＭ３０５は、プロジェクタ３００の動作を規定するプログラムなどを記憶する記憶装置である。
【０１０８】
メモリ３０６は、ＣＰＵ３０７の動作を規定するプログラムや、そのプログラムの実行に伴って使用されるパラメータなどを記憶する記憶装置である。
【０１０９】
ＣＰＵ３０７は、プロジェクタ３００を制御するＣＰＵ部である。具体的には、ＣＰＵ３０７は、ＦｌａｓｈＲＯＭ３０５またはメモリ３０６に記憶されたプログラムを読み込み、その読み込んだプログラムを実行することで、検出部３０７１および表示制御部３０７２などの機能を実現する。
【０１１０】
検出部３０７１は、無線通信部３０４が、接続状態であるかまたは停止状態であるかを検出する検出部である。具体的には、検出部３０７１は、無線通信部３０４が出力した無線経由で入力された信号を受け付けた場合にこれを検出し、映像信号を検出している間、検出結果として、無線通信部３０４が接続状態であることを示す検出信号を判別回路３１０に出力する。また、検出部３０７１は、無線通信部３０４が映像信号を受け付けていない場合、検出信号を出力しない。これにより、検出部３０７１が検出信号を出力しないことは、無線通信部３０４が停止状態であることを示す。
【０１１１】
表示制御部３０７２は、映像信号処理回路３１２が出力する映像信号に応じた画像を表示部３１３に表示させる。
【０１１２】
描画回路３０８は、検出部３０７１が出力した信号に基づいて、映像信号を生成する映像信号生成部である。描画回路３０８は、生成した映像信号をスイッチ３０９に出力する。
【０１１３】
スイッチ３０９は、入力端子３０１および描画回路３０８のいずれかを映像信号処理回路３１２に接続する接続部である。具体的には、スイッチ３０９は、入力端子３０１および描画回路３０８がそれぞれ出力した映像信号を受け付け、判別回路３１０から入力された切替信号が示す信号入力部を映像信号処理回路３１２に接続する。これにより、スイッチ３０９は、切替信号が示す信号入力部が出力した映像信号を映像信号処理回路３１２に入力することになる。
【０１１４】
判別回路３１０は、信号検出回路３０３または検出部３０７１が出力した検出信号を受け付け、受け付けた検出信号に基づいて、スイッチ３０９に映像信号処理回路３１２に接続する信号入力部である接続入力部を切り替えるように通知する切替制御部である。具体的には、判別回路３１０は、検出信号に基づいて、接続入力部を切り替えるか否かを判断し、接続入力部を切り替える場合、切替信号を生成してスイッチ３０９に入力することにより、スイッチ３０９に接続入力部を切り替えさせる。
【０１１５】
より具体的には、判別回路３１０は、入力端子３０１または無線通信部３０４が新たに接続状態となったことを検出した場合、スイッチ３０９に、新たに接続状態となった信号入力部と映像信号処理回路３１２とを接続させる。また判別回路３１０は、映像信号処理回路３１２に接続した信号入力部の履歴を、記憶部３１１に記憶させる。そして判別回路３１０は、映像信号処理回路３１２に接続されている信号入力部が停止状態となった場合、記憶部３１１に記憶された履歴に基づいて、スイッチ３０９に、停止状態となった信号入力部の前に映像信号処理回路３０９に接続されていた信号入力部と映像信号処理回路３１２とを接続させる。
【０１１６】
これにより、判別回路３１０は、映像信号の入力が最も遅く開始された信号入力部を映像信号処理回路３１２に接続することになり、映像信号処理回路３１２に接続された入力端子に入力された映像信号は、出力信号として出力されることになる。
【０１１７】
記憶部３１１は、情報を記憶する記憶装置であり、本実施形態では、映像信号処理回路３１２に接続した信号入力部の履歴を記憶する。
【０１１８】
映像信号処理回路３１２は、スイッチ３０９から入力された映像信号を受け付け、受け付けた映像信号に対して、各種の信号処理を行い、その信号処理を行った映像信号を表示部３１３が画像を表示するために用いる映像信号として出力する信号出力部である。映像信号処理回路３１２が行う信号処理は、例えば、映像信号のγ補正処理、および歪み補正処理などである。
【０１１９】
表示部３１３は、映像信号処理回路３１２が出力した映像信号を受け付け、受け付けた映像信号に応じた画像を表示する。
【０１２０】
以上説明したように、本発明の第３の実施形態によれば、複数の信号入力部の少なくとも一つは、無線信号を受信する無線通信部である。これにより、無線通信路を介して信号が入力される場合であっても、一時的に出力する映像信号を切り替えたい場合であっても、信号を切り替える際の手間を低減して、ユーザの利便性を向上させることが可能になる。
【０１２１】
（第４の実施形態）
図１１は、本発明の第４の実施形態にかかるプロジェクタ４００の構成を説明するためのブロック図である。
【０１２２】
図１１に示すプロジェクタ４００は、入力端子４０１と、信号検出回路４０３と、無線通信部４０４と、ＦｌａｓｈＲＯＭ４０５と、メモリ４０６と、ＣＰＵ４０７と、描画回路４０８と、スイッチ４０９と、映像信号処理回路４１２と、表示部４１３とを有する。
【０１２３】
プロジェクタ４００は、プロジェクタ３００に備わる判別回路３１０を有しない代わりに、ＣＰＵ４０７が判別部４０７２として機能することで、判別回路３１０と同等の機能を実現する。
【０１２４】
プロジェクタ４００の入力端子４０１は、プロジェクタ３００の入力端子３０１と同等な機能を有し、信号検出回路４０３は、信号検出回路３０３と同等な機能を有し、無線通信部４０４は、無線通信部３０４と同等な機能を有し、ＦｌａｓｈＲＯＭ４０５は、ＦｌａｓｈＲＯＭ３０５と同等な機能を有する。また、メモリ４０６は、メモリ３０６と同等な機能を有し、ＣＰＵ４０７は、ＣＰＵ３０７および判別回路３１０と同等な機能を有し、描画回路４０８は、描画回路３０８と同等な機能を有し、スイッチ４０９は、スイッチ３０９と同等な機能を有し、映像信号処理回路４１２は、映像信号処理回路３１２と同等な機能を有し、表示部４１３は、表示部３１３と同等な機能を有する。以下、プロジェクタ３００との相違点を主に説明する。
【０１２５】
信号検出回路４０３は、入力端子４０１が接続状態であるか、または、停止状態であるかを検出する検出部である。具体的には、信号検出回路４０３は、入力端子４０１が出力した映像信号を受け付けた場合にこれを検出し、映像信号を検出している間、検出結果として、入力端子４０１が接続状態であることを示す検出信号を生成して、その生成した検出信号をＣＰＵ４０７に出力する。また、信号検出回路４０３は、入力端子４０１が映像信号を出力していない場合、検出信号を出力しない。これにより、信号検出回路４０３が検出信号を出力しないことは、入力端子４０１が停止状態であることを示す。
【０１２６】
メモリ４０６は、メモリ３０６の機能に加えて、映像信号処理回路４１２に接続された信号入力部の履歴を記憶する記憶部３１１の機能を併せ持つ。
【０１２７】
ＣＰＵ４０７は、プロジェクタ４００を制御するＣＰＵ部である。具体的には、ＣＰＵ４０７は、ＦｌａｓｈＲＯＭ４０５またはメモリ４０６に記憶されたプログラムを読み込み、その読み込んだプログラムを実行することで、検出部４０７１、判別部４０７２、および表示制御部４０７３などの機能を実現する。
【０１２８】
検出部４０７１は、検出部３０７１と同等な機能を有する。検出部４０７１は、無線通信部４０４が接続状態であることを検出すると、無線通信部４０４が接続状態であることを示す検出信号を生成して、生成した検出信号を判別部４０７２に出力し、無線通信部４０４から受け付けた信号を描画回路４０８に出力する。
【０１２９】
判別部４０７２は、信号検出回路４０３または検出部４０７１が出力した検出信号を受け付け、受け付けた検出信号に基づいて、スイッチ４０９に接続入力部を切り替えるように通知する切替制御部である。この判別部４０７２は、ＣＰＵ４０７の動作を規定するプログラムをＣＰＵ４０７が読み込み、ＣＰＵ４０７がその読み込んだプログラムを実行することで、判別回路３１０と同等の機能を実現している。
【０１３０】
以上説明したように、本発明の第４の実施形態によれば、信号出力部に接続する信号入力部を切り替える判別回路の機能がＣＰＵで実現される構成でも、一時的に出力する映像信号を切り替えたい場合であっても、信号を切り替える際の手間を低減して、ユーザの利便性を向上させることが可能になる。
【０１３１】
（第５の実施形態）
図１２は、本発明の第５の実施形態にかかるプロジェクタ５００の構成を説明するためのブロック図である。
【０１３２】
図１２に示すプロジェクタ５００は、入力端子５０１と、信号検出回路５０３と、無線通信部５０４と、ＦｌａｓｈＲＯＭ５０５と、メモリ５０６と、ＣＰＵ５０７と、無線用ＣＰＵ５０８と、スイッチ５０９と、判別回路５１０と、記憶部５１１と、映像信号処理回路５１２と、表示部５１３とを有する。
【０１３３】
プロジェクタ５００は、プロジェクタ３００および４００がＣＰＵ３０７または４０７で行っていた無線経由で受信した信号に対する信号処理をＣＰＵ５０７とは別の無線用ＣＰＵ５０８で行う。
【０１３４】
なお、プロジェクタ５００の入力端子５０１は、プロジェクタ３００の入力端子３０１と同等の機能を有し、信号検出回路５０３は、信号検出回路３０３と同等の機能を有する。また無線通信部５０４は、無線通信部３０４と同等な機能を有し、ＦｌａｓｈＲＯＭ５０５は、ＦｌａｓｈＲＯＭ３０５と同等な機能を有し、メモリ５０６は、メモリ３０６と同等な機能を有し、ＣＰＵ５０７は、ＣＰＵ３０７の表示制御部３０７２と同等な機能を有する。無線用ＣＰＵ５０８は、ＣＰＵ３０７の検出部３０７１および描画回路３０８と同等な機能を有し、スイッチ５０９は、スイッチ３０９と同等な機能を有し、判別回路５１０は、判別回路３１０と同等な機能を有し、映像信号処理回路５１２は、映像信号処理回路３１２と同等な機能を有し、表示部５１３は、表示部３１３と同等な機能を有する。以下、プロジェクタ３００との相違点を主に説明する。
【０１３５】
無線通信部５０４は、外部装置と接続可能な接続インタフェースであり、無線で接続された外部装置から信号が入力される信号入力部である。無線通信部５０４は、入力された信号を無線用ＣＰＵ５０８に出力する。
【０１３６】
無線用ＣＰＵ５０８は、無線通信部５０４が接続状態であるか、または、停止状態であるかを検出する検出部の機能と、無線通信部５０４に入力された信号に基づいて、映像信号を生成する描画回路の機能とを有する無線用ＣＰＵ部である。具体的には、無線用ＣＰＵ５０８は、無線通信部５０４が出力した信号に映像データが含まれる場合、無線通信部５０４が接続状態であることを示す検出信号を生成し、生成した検出信号をＣＰＵ５０７に出力する。また、無線用ＣＰＵ５０８は、検出した信号に基づいて映像信号を生成すると、生成した映像信号をスイッチ５０９に出力する。
【０１３７】
ＣＰＵ５０７は、無線用ＣＰＵ５０８が出力した検出信号を受け付け、受け付けた検出信号を判別回路５１０に出力するＣＰＵ部である。
【０１３８】
スイッチ５０９は、入力端子５０１および無線用ＣＰＵ５０８のいずれかを映像信号処理回路５１２に接続する接続部である。具体的には、スイッチ５０９は、入力端子５０１および無線用ＣＰＵ５０８がそれぞれ出力した映像信号を受け付け、判別回路５１０から入力された切替信号が示す信号入力部を映像信号処理回路５１２に接続する。
【０１３９】
判別回路５１０は、信号検出回路５０３およびＣＰＵ５０７がそれぞれ出力した検出信号を受け付け、受け付けた検出信号に基づいて、スイッチ５０９に接続入力部を切り替えるように通知する切替制御部である。具体的には、判別回路５１０は、映像信号処理回路５１２に接続する信号入力部を切り替える場合、映像信号処理回路５１２に接続する信号入力部を指定する切替信号を生成して、生成した切替信号をスイッチ５０９に入力する。
【０１４０】
以上説明したように、本発明の第５の実施形態においても、第１〜第４の実施形態と同様に、一時的に出力する映像信号を切り替えたい場合であっても、信号を切り替える際の手間を低減して、ユーザの利便性を向上させることが可能になる。また、本実施形態では、切替装置を制御する制御部とは別の回路で、無線通信路経由の信号が処理される。これにより、切替装置を制御する制御部の負荷を低減することが可能になる。
【０１４１】
（第６の実施形態）
図１３は、本発明の第６の実施形態にかかるプロジェクタ６００の構成を説明するためのブロック図である。
【０１４２】
図１３に示すプロジェクタ６００は、入力端子６０１と、信号検出回路６０３と、無線通信部６０４と、ＦｌａｓｈＲＯＭ６０５と、メモリ６０６と、ＣＰＵ６０７と、無線用ＣＰＵ６０８と、スイッチ６０９と、映像信号処理回路６１２と、表示部６１３とを有する。
【０１４３】
プロジェクタ６００の入力端子６０１は、プロジェクタ５００の入力端子５０１と同等の機能を有し、信号検出回路６０３は、信号検出回路５０３と同等の機能を有する。また無線通信部６０４は、無線通信部５０４と同等の機能を有し、ＦｌａｓｈＲＯＭ６０５は、ＦｌａｓｈＲＯＭ５０５と同等の機能を有し、メモリ６０６は、メモリ５０６と同等の機能を有する。ＣＰＵ６０７は、ＣＰＵ５０８および判別回路５１０と同等の機能を有し、無線用ＣＰＵ６０８は、無線用ＣＰＵ５０８と同等の機能を有する。またスイッチ６０９は、スイッチ５０９と同等の機能を有し、映像信号処理回路６１２は、映像信号処理回路５１２と同等の機能を有し、表示部６１３は、表示部５１３と同等の機能を有する。以下、プロジェクタ５００との相違点を主に説明する。
【０１４４】
信号検出回路６０３は、入力端子６０１が接続状態であるか、または、停止状態であるかを検出する。具体的には、信号検出回路６０３は、入力端子６０１が出力した映像信号を受け付けた場合にこれを検出し、映像信号を検出している間、検出結果として、入力端子６０１が接続状態であることを示す検出信号を生成して、生成した検出信号をＣＰＵ６０７に出力する。また、信号検出回路６０３は、入力端子６０１が映像信号を出力していない場合、検出信号を出力しない。これにより、信号検出回路６０３が検出信号を出力しないことは、入力端子６０１が停止状態であることを示す。
【０１４５】
ＣＰＵ６０７は、プロジェクタ６００を制御するＣＰＵ部である。具体的には、ＣＰＵ６０７は、ＦｌａｓｈＲＯＭ６０５またはメモリ６０６に記憶されたプログラムを読み込み、その読み込んだプログラムを実行することで、判別部６０７１および表示制御部６０７２などの機能を実現する。
【０１４６】
判別部６０７１は、信号検出回路６０３または無線用ＣＰＵ６０８が出力した検出信号を受け付け、受け付けた検出信号に基づいて、スイッチ６０９に接続入力部を切り替えるように通知する切替制御部である。判別部６０７１は、スイッチ６０９を切り替える場合、映像信号処理回路６１２に接続する信号入力部を示す切替信号を生成してスイッチ６０９に入力する。
【０１４７】
以上説明したように、本発明の第６の実施形態においても、第１〜第５の実施形態と同様に、一時的に出力する映像信号を切り替えたい場合であっても、信号を切り替える際の手間を低減して、ユーザの利便性を向上させることが可能になる。また、本実施形態では、複数の信号入力部の少なくとも一つは、無線信号を受信する無線通信部であり、切替装置を制御する制御部と別体の回路で、無線通信路を介して受信した無線信号が処理される。これにより、切替装置を制御する制御部の負荷を低減することが可能になる。
【０１４８】
（第７の実施形態）
図１４は、本発明の第７の実施形態にかかるプロジェクタ７００の構成を説明するためのブロック図である。
【０１４９】
プロジェクタ７００は、第１入力端子７０１と、第２入力端子７０２と、第３入力端子７０９と、第１信号検出回路７０３と、第２信号検出回路７０４と、第３信号検出回路７１０とを有する。またプロジェクタ７００は、スイッチ７０５と、判別回路７０６と、記憶部７０７と、映像信号処理回路７０８とを有する。
【０１５０】
プロジェクタ７００の第１入力端子７０１は、プロジェクタ１００の第１入力端子１０１と同等な機能を有し、第２入力端子７０２は、第２入力端子１０２と同等な機能を有し、第１信号検出回路７０３は、第１信号検出回路１０３と同等な機能を有し、第２信号検出回路７０４は、第２信号検出回路１０４と同等な機能を有する。またスイッチ７０５は、スイッチ１０５と同等な機能を有し、判別回路７０６は、判別回路１０６と同等な機能を有し、記憶部７０７は、記憶部１０７と同等な機能を有し、映像信号処理回路７０８は、映像信号処理回路１０８と同等な機能を有する。また、プロジェクタ７００は、プロジェクタ１００と同等な機能を有する構成に加えて、第３入力端子７０９と第３信号検出回路７１０とをさらに有する。以下、プロジェクタ１００との相違点を主に説明する。
【０１５１】
第３入力端子７０９は、外部装置と接続可能な接続インタフェースであり、ケーブルなどを介して接続された外部装置から入力された映像信号を受け付ける信号入力部である。第３入力端子７０９は、映像信号を受け付けると、その受け付けた映像信号をスイッチ７０５および第３信号検出回路７１０に出力する。
【０１５２】
第３信号検出回路７１０は、第３入力端子７０９が接続状態であるか、または、停止状態であるかを検出する検出部である。具体的には、第３信号検出回路７１０は、第３入力端子７０９が出力した映像信号を受け付けた場合、その受け付けた映像信号を第３入力端子７０９に入力された映像信号として検出して、映像信号を検出している間、検出結果として、第３入力端子７０９が接続状態であることを示す検出信号を生成し、生成した検出信号を判別回路７０６に出力する。また、第３信号検出回路７１０は、第３入力端子７０９が映像信号を出力していない場合、検出信号を出力しない。これにより、第３信号検出回路７１０が検出信号を出力しないことは、第３入力端子７０９が停止状態であることを示す。
【０１５３】
スイッチ７０５は、第１入力端子７０１、第２入力端子７０２、および第３入力端子７０９のいずれかを映像信号処理回路７０８に接続する接続部である。具体的には、スイッチ７０５は、第１入力端子７０１、第２入力端子７０２、および第３入力端子７０９がそれぞれ出力した映像信号を受け付け、判別回路７０６から入力された切替信号が示す入力端子を映像信号処理回路７０８に接続する。これにより、スイッチ７０５は、切替信号が示す入力端子が出力した映像信号を映像信号処理回路７０８に入力することになる。
【０１５４】
判別回路７０６は、第１信号検出回路７０３、第２信号検出回路７０４、および第３信号検出回路７１０が出力する検出信号を受け付け、受け付けた検出信号に基づいて、スイッチ７０５に接続入力端子を切り替えるように指示する切替制御部である。判別回路７０６は、映像信号処理回路７０８に接続する入力端子を切り替える場合、切り替えた後に映像信号処理回路７０８に接続する入力端子を示す切替信号を生成して、生成した切替信号をスイッチ７０５に入力する。
【０１５５】
なお、判別回路７０６が出力する映像信号を切り替える動作は、図４で説明した第１の実施形態と同様である。
【０１５６】
図１５は、プロジェクタ７００の各入力端子への映像信号の有無と、そのときの接続入力端子とを示す図である。
【０１５７】
まず、時刻ｔ１０において、第１入力端子７０１、第２入力端子７０２、および第３入力端子７０９には、共に映像信号が入力されていない。この場合、判別回路７０６は、スイッチ７０５に、接続入力端子の初期値である第１入力端子７０１を映像信号処理回路７０８に接続させる。しかしながら、この場合、第１入力端子７０１に映像信号が入力されていないため、映像信号処理回路７０８に映像信号は入力されない。
【０１５８】
そして、第１入力端子７０１に映像信号の入力が開始されると、時刻ｔ１１において、第１信号検出回路７０３は、第１入力端子７０１が新たに接続状態となったことを検出する。このとき第２入力端子７０２および第３入力端子７０９は、停止状態のままである。この場合、判別回路７０６は、スイッチ７０５に、新たに接続状態となった第１入力端子７０１を映像信号処理回路７０８に接続させる。ただし、スイッチ７０５は、既に第１入力端子７０１を映像信号処理回路７０８に接続しているので、その接続を維持することになる。これにより、第１入力端子７０１に入力された映像信号である第１信号に応じた画像が表示される。
【０１５９】
その後、第２入力端子７０２に映像信号の入力が開始されると、時刻ｔ１２において、第２信号検出回路７０４は、第２入力端子７０２が新たに接続状態となったことを検出する。このとき第３入力端子７０９は、停止状態のままである。この場合、判別回路７０６は、スイッチ７０５に、新たに接続状態となった第２入力端子７０２を映像信号処理回路７０８に接続させる。これにより、接続入力端子は、第１入力端子７０１から第２入力端子７０２に切り替えられ、第２入力端子７０２に入力された映像信号である第２信号に応じた画像が表示される。
【０１６０】
そして、第３入力端子７０９に映像信号の入力が開始されると、時刻ｔ１３において、第３信号検出回路７１０は、第３入力端子７０９が新たに接続状態となったことを検出する。この場合、判別回路７０６は、スイッチ７０５に、新たに接続状態となった第３入力端子７０９を映像信号処理回路７０８に接続させる。これにより、接続入力端子は、第２入力端子７０２から第３入力端子７０９に切り替えられ、第３入力端子７０９に入力された映像信号である第３信号に応じた画像が表示される。
【０１６１】
その後、第１入力端子７０１への映像信号の入力が停止されると、時刻ｔ１４において、第１信号検出回路７０３は、第１入力端子７０１が停止状態となったことを検出する。このとき第２入力端子７０２および第３入力端子７０９は接続状態のままであり、接続入力端子は第３入力端子のままである。この場合、停止状態となった入力端子は、接続入力端子ではないため、判別回路７０６は、接続入力端子を第３入力端子７０９のまま切り替えない。
【０１６２】
そして、第１入力端子７０１に映像信号の入力が再び開始されると、時刻ｔ１５において、第１信号検出回路７０３は、第１入力端子７０１が新たに接続状態となったことを検出する。この場合、判別回路７０６は、スイッチ７０５に、新たに接続状態となった第１入力端子７０１を映像信号処理回路７０８に接続させる。これにより、接続入力端子は、第３入力端子７０９から第１入力端子７０１に切り替えられ、第１信号に応じた画像が表示される。
【０１６３】
その後、第２入力端子７０２への映像信号の入力が停止されると、時刻ｔ１６において、第２信号検出回路７０４は、第２入力端子７０２が停止状態となったことを検出する。このとき第１入力端子７０１および第３入力端子７０９は接続状態のままであり、接続入力端子は第１入力端子７０１のままの状態である。この場合、停止状態となった映像信号は、接続入力端子ではないため、判別回路７０６は、接続入力端子を第１入力端子のまま切り替えない。
【０１６４】
そして、第２入力端子７０２に映像信号の入力が再び開始されると、時刻ｔ１７において、第２信号検出回路７０４は、第２入力端子７０２が新たに接続状態となったことを検出する。この場合、判別回路７０６は、スイッチ７０５に、新たに接続状態となった第２入力端子７０２を映像信号処理回路７０８に接続させる。これにより、接続入力端子は、第１入力端子７０１から第２入力端子７０２に切り替えられ、第２信号に応じた画像が表示される。
【０１６５】
このように、３つの入力端子を有するプロジェクタ７００においても、映像信号の入力が新たに開始された場合、この入力端子が映像信号出力部７０８に接続される。これにより、新たに入力が開始された映像信号に応じた画像が表示される。
【０１６６】
図１６は、プロジェクタ７００の動作の他の一例について説明するための図である。
【０１６７】
図１６は、第１入力端子７０１、第２入力端子７０２、および第３入力端子７０９それぞれに対して入力された映像信号の有無と、そのときの接続入力端子とを示している。
【０１６８】
まず時刻ｔ２０において、第１入力端子７０１、第２入力端子７０２、および第３入力端子７０９には、共に入力された映像信号が検出されていない。この場合、判別回路７０６は、スイッチ７０５に、接続入力端子の初期値である第１入力端子７０１を映像信号処理回路７０８に接続させる。
【０１６９】
そして、第１入力端子７０１に映像信号の入力が開始されると、時刻ｔ２１において、第１信号検出回路７０３は、第１入力端子７０１が新たに接続状態となったことを検出して検出信号を出力する。このとき第２入力端子７０２および第３入力端子７０９は、停止状態のままである。この場合、判別回路７０６は、スイッチ７０５に、第１入力端子７０１を映像信号処理回路７０８に接続させる。ただし、スイッチ７０５は、既に第１入力端子７０１を映像信号処理回路７０８に接続しているので、その接続を維持することになる。これにより、第１入力端子７０１に入力された第１信号に応じた画像が表示される。
【０１７０】
その後、第２入力端子７０２に映像信号の入力が開始されると、時刻ｔ２２において、第２信号検出回路７０４は、第２入力端子７０２が新たに接続状態となったことを検出して検出信号を出力する。このとき第３入力端子７０９は、停止状態のままである。この場合、判別回路７０６は、スイッチ７０５に、新たに接続状態となった第２入力端子７０２を映像信号処理回路７０８に接続させる。これにより、接続入力端子は、第１入力端子７０１から第２入力端子７０２に切り替えられ、第２信号に応じた画像が表示される。
【０１７１】
そして、第３入力端子７０９に映像信号の入力が開始されると、時刻ｔ２３において、第３信号検出回路７１０は、第３入力端子７０９に映像信号の入力が開始されたことを検出する。この場合、判別回路７０６は、スイッチ７０５に、新たに接続状態となった第３入力端子７０９を映像信号処理回路７０８に接続させる。これにより、接続入力端子は、第２入力端子７０２から第３入力端子７０９に切り替えられ、第３信号に応じた画像が表示される。
【０１７２】
また、第３入力端子７０９への映像信号の入力が停止されると、時刻ｔ２４において、第３信号検出回路７１０は、第３入力端子７０９が停止状態となったことを検出する。このとき第１入力端子７０１および第２入力端子７０２は接続状態のままである。この場合、停止状態となった入力端子は接続入力端子であるため、判別回路７０６は、スイッチ７０５に、第２入力端子７０２を映像信号処理回路７０８に接続させる。これにより、接続入力端子は、第３入力端子７０９から第２入力端子７０２に切り替えられ、第２信号に応じた画像が再び表示される。
【０１７３】
そして、第２入力端子７０２への映像信号の入力が停止されると、時刻ｔ２５において、第２信号検出回路７０４は、第２入力端子７０２が停止状態となったことを検出する。このとき第１入力端子７０１は接続状態のままである。この場合、停止状態となった入力端子は接続入力端子であるため、判別回路７０６は、スイッチ７０５に、第１入力端子７０１を映像信号処理回路７０８に接続させる。これにより、接続入力端子は、第２入力端子７０２に切り替える前の接続入力端子である第１入力端子７０１に戻され、第１信号に応じた画像が再び表示される。
【０１７４】
なお、図１６では、時刻ｔ２４において、接続入力端子を第３入力端子７０９に切り替える前の接続入力端子である第２入力端子７０２が接続状態であったが、時刻ｔ２４において、第２入力端子７０２が停止状態である場合、判別回路７０６は、接続入力端子をさらに第２入力端子７０２に切り替える前の接続入力端子である第１入力端子７０１に切り替える。
【０１７５】
以上説明したように、本発明の第７の実施形態によれば、３つの入力端子を有するプロジェクタにおいて、一時的に出力処理のために用いる映像信号を切り替えたい場合であっても、映像信号を切り替える際の手間を低減して、ユーザの利便性を向上させることが可能になる。
【０１７６】
（第８の実施形態）
図１７は、本発明の第８の実施形態にかかるプロジェクタ８００の構成について説明するためのブロック図である。
【０１７７】
プロジェクタ８００は、第１入力端子８０１と、第２入力端子８０２と、第１信号検出回路８０３と、第２信号検出回路８０４と、出力信号生成部８０５と、判別回路８０６と、記憶部８０７と、映像信号処理回路８０８とを有する。
【０１７８】
プロジェクタ８００の第１入力端子８０１は、プロジェクタ１００の第１入力端子１０１と同等な機能を有し、第２入力端子８０２は、第２入力端子１０２と同等な機能を有し、第１信号検出回路８０３は、第１信号検出回路１０３と同等な機能を有し、第２信号検出回路８０４は、第２信号検出回路１０４と同等な機能を有する。また、出力信号生成部８０５は、スイッチ８０５と同等な機能を有し、判別回路８０６は、判別回路１０６と同等な機能を有し、記憶部８０７は、記憶部１０７と同等な機能を有し、映像信号処理回路８０８は、映像信号処理回路１０８と同等な機能を有する。
【０１７９】
プロジェクタ８００は、プロジェクタ１００のスイッチ１０５の代わりに、出力信号生成部８０５を有する。この出力信号生成部８０５は、スイッチ１０５と同等の機能に加えて、第１入力端子８０１に入力された映像信号と、第２入力端子８０２に入力された映像信号とに基づいて、出力する映像信号を生成する機能を有する。以下、プロジェクタ１００との相違点を主に説明する。
【０１８０】
出力信号生成部８０５は、第１入力端子８０１および第２出力端子のいずれかを映像信号処理回路８０８に接続する接続部である。具体的には、出力信号生成部８０５は、第１入力端子８０１および第２入力端子８０２がそれぞれ出力した映像信号を受け付け、判別回路８０６から入力された切替信号が示す入力端子を映像信号処理回路８０８に接続する。これにより、出力信号生成部８０５は、映像信号処理回路８０８に接続した入力端子に入力された映像信号を出力信号として出力することができる。
【０１８１】
また、出力信号生成部８０５は、映像信号処理回路８０８に接続する入力端子を切り替える場合、切り替え前に出力していた映像信号である切替前映像信号と、切り替え後に出力する映像信号である切替後映像信号とに基づいて、合成映像信号を生成し、生成した合成映像信号を出力信号として出力する。
【０１８２】
図１８は、接続入力端子を切り替えるときの表示画像について説明するための図である。
【０１８３】
出力する映像信号を切り替える場合、出力信号生成部８０５は、映像信号処理回路８０８に接続する入力端子を切り替えることで、図２に示したように、表示領域の全面を切り替えることができる。
【０１８４】
また、出力信号生成部８０５は、出力する映像信号を切り替える場合、図１７に示したように、段階的に表示する画像を切り替えてもよい。この場合、出力信号生成部８０５は、判別回路８０６から切替信号が入力されると、切替前映像信号に応じた画像１１Ｘの表示領域の一部に切替後映像信号に応じた画像１１Ｙを重畳した画像を示す合成映像信号を生成し、出力信号を、切替前映像信号から合成映像信号に切り替える。また、出力信号生成部８０５は、出力信号を合成映像信号に切り替えてから所定時間が経過した後、出力信号を合成映像信号から切替後映像信号に切り替える。また出力信号生成部８０５は、所定時間内において、時間の経過に伴って、合成映像信号が示す画像中の切替後映像信号に応じた画像１１Ｙの割合を徐々に増加させてもよい。
【０１８５】
以上説明したように、本発明の第８の実施形態によれば、第１〜第７の実施形態と同様に、一時的に出力する映像信号を切り替えたい場合であっても、信号を切り替える際の手間を低減して、ユーザの利便性を向上させることが可能になる。
【０１８６】
また、本実施形態では、信号出力部と接続する信号入力部が切り替えられる場合、信号出力部に接続する信号入力部が切り替えられる前に信号出力部から出力された映像信号に応じた画像を表示している表示領域の一部に、信号出力部に接続する信号入力部が切り替えられた後に信号出力部から出力された映像信号に応じた画像を重畳して表示し、所定時間が経過した後、重畳して表示した画像が拡大して表示される。これにより、信号出力部に接続される信号入力部が切り替えられ、出力する映像信号が切り替わったことを明確に示すことが可能になる。
【０１８７】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１８８】
例えば、上記実施形態では、入力信号および出力信号は映像信号であり、出力処理として、映像信号に応じた画像を表示するプロジェクタに切替装置が内蔵されていることとしたが、本発明はかかる例に限定されない。例えば、切替装置を内蔵する出力装置は、プロジェクタ以外の表示装置などであってもよいまた、上記実施形態では、プロジェクタが行う出力処理は映像信号に応じた画像を表示する処理であることとしたが、映像信号に音声信号が重畳されている場合、プロジェクタは、出力処理として、画像を表示すると共に、音声信号に応じた音声を出力してもよい。
【０１８９】
また、上記実施形態では、外部装置は主にＰＣであることとし、スマートフォンやタブレット端末であってもよいこととしたが、本発明はかかる例に限定されない。外部装置は、例えば、ゲーム機器、音楽再生装置、映像処理装置、ナビゲーション装置などの情報処理装置であってもよい。なお、映像処理装置には、カメラ、レコーダ、プレイヤーなどが含まれる。また、外部装置は、ＵＳＢ（Ｕｎｉｖｅｒｓａｌ  Ｓｅｒｉａｌ  Ｂｕｓ）メモリなどの記憶装置であってもよい。外部装置がＵＳＢメモリである場合、入力端子は、ＵＳＢ端子となる。
【０１９０】
また、上記実施形態では、第１〜第８の実施形態を用いて切替装置の構成の８つの例を挙げたが、本発明はかかる例に限定されない。例えば、上記実施形態では、簡単のため、切替装置が有する信号入力部は２つまたは３つとしたが、４つ以上の信号入力部を有する切替装置に本発明の技術を適用することも可能である。また、上記実施形態では、簡単のため、２つの信号入力部のうちの１つが無線通信部であることとしたが、本発明はかかる例に限定されない。例えば、３つ以上の信号入力部を有する切替装置が信号入力部として無線通信部を有してもよい。また、第１〜第７の実施形態で示した構成の接続部を、第８の実施形態で示した出力信号生成部８０５に置き換えることもできる。また、第１〜第８の各実施形態で示した信号検出回路または検出部を第２の実施形態で説明した動き検出回路２０３と同等の機能を有する構成とすることもできる。
【０１９１】
また、上記実施形態では、切替装置の構成とその機能について説明したが、この切替装置の機能を実現するためのプログラムや、そのプログラムを記憶した記憶媒体を提供することも可能である。
【０１９２】
また、上記実施形態では、検出部は、信号入力部に入力された映像信号を検出した場合、当該信号入力部が接続状態であり、映像信号が検出できない場合、当該信号入力部が停止状態であることとしたが、本発明はかかる例に限定されない。例えば、実際に映像信号が入力されていなくても、検出部は、信号入力部に映像信号を出力する外部装置が接続されていることを検出した場合、当該信号入力部は接続状態であるとしてもよい。この場合、外部装置が接続されていない信号入力部は、停止状態であるとすることができる。接続状態は、信号入力部が少なくとも映像信号の入力を受け付けることが可能な状態であり、検出部は、ケーブルが接続されたこと、信号入力部に接続された外部装置との通信が確立されたこと、実際に映像信号が入力されたことなどを検出した場合、当該信号入力部が外部装置と接続された接続状態であるとしてよい。
【０１９３】
また、上記実施形態で記憶部に記憶される履歴は、複数の接続入力端子を接続入力端子となった順番と共に記憶した情報であってもよく、新たに接続状態となった入力端子の前に接続入力端子であった入力端子を示す情報のみでもあってもよい。
【符号の説明】
【０１９４】
１００，２００，３００，４００，５００，６００，７００，８００  プロジェクタ
１０１    第１入力端子（信号入力部）
１０２    第２入力端子（信号入力部）
１０３    第１信号検出回路（検出部）
１０４    第２信号検出回路（検出部）
１０５    スイッチ（接続部）
１０６    判別回路（切替制御部）
１０８    映像信号処理回路（信号出力部）
【図１】
2015060163.tif 000003
【図２】
2015060163.tif 000004
【図３】
2015060163.tif 000005
【図４】
2015060163.tif 000006
【図５】
2015060163.tif 000007
【図６】
2015060163.tif 000008
【図７】
2015060163.tif 000009
【図８】
2015060163.tif 000010
【図９】
2015060163.tif 000011
【図１０】
2015060163.tif 000012
【図１１】
2015060163.tif 000013
【図１２】
2015060163.tif 000014
【図１３】
2015060163.tif 000015
【図１４】
2015060163.tif 000016
【図１５】
2015060163.tif 000017
【図１６】
2015060163.tif 000018
【図１７】
2015060163.tif 000019
【図１８】
2015060163.tif 000020
【図１９】
2015060163.tif 000021
【図２０】
2015060163.tif 000022